【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  コーティングされたポリエステルフィルムであって、
（ａ）第１の表面と第２の表面とを有する、延伸ポリエステルフィルムと、
（ｂ）前記表面の少なくとも１つの上のコーティングであり、該コーティングは有機ポリマーと、前記コーティングの重量を基準にして約０．００２重量％から１．５重量％の多孔性粒子とを含み、該多孔性粒子は少なくとも０．０３ｍＬ／ｇの孔隙体積および約０．５μｍから４．５μｍの粒径を有する、コーティングと
を備えることを特徴とするコーティングされたポリエステルフィルム。
【請求項２】  延伸ポリエステルフィルムの少なくとも１つの表面上をコーティングすることによって形成された、コーティングされたポリエステルフィルムであって、コーティング組成物が有機ポリマーと、コーティングの重量を基準にして約０．００２重量％から１．５重量％の多孔性樹脂とを含み、該多孔性樹脂が少なくとも０．０３ｍＬ／ｇの孔隙体積および約０．５μｍから４．５μｍの粒径を有することを特徴とするコーティングされたポリエステルフィルム。
【請求項３】  コーティングされたポリエステルフィルムを形成するための方法であって、該方法は、
ポリエステルフィルムの少なくとも１つの表面上をコーティングする工程であって、コーティング組成物が有機ポリマーと前記コーティング組成物中に存在する全固形物の重量を基準にして約０．００２重量％から１．５重量％の多孔性粒子を含み、該多孔性粒子が少なくとも０．０３ｍＬ／ｇの孔隙体積および約０．５μｍから４．５μｍの粒径を有する工程と、
前記フィルムを延伸して、その大きさを約２〜約４倍に増大させる工程と
を備えたことを特徴とする方法。
【手続補正２】
【補正対象書類名】明細書
【補正対象項目名】００４５
【補正方法】変更
【補正の内容】
【００４５】
記述された本発明をもって、我々はここに特許請求の範囲のおよびそれらに等価の権利を請求する。
以下に、本発明の好ましい態様を示す。
１．  コーティングされたポリエステルフィルムであって、
（ａ）第１の表面と第２の表面とを有する、延伸ポリエステルフィルムと、
（ｂ）前記表面の少なくとも１つの上のコーティングであり、該コーティングは有機ポリマーと、前記コーティングの重量を基準にして約０．００２重量％から１．５重量％の多孔性粒子とを含み、該多孔性粒子は少なくとも０．０３ｍＬ／ｇの孔隙体積および約０．５μｍから４．５μｍの粒径を有する、コーティングと
を備えることを特徴とするコーティングされたポリエステルフィルム。
２．  前記多孔性粒子がアルミナ粒子および部分的に焼成されたポリシロキサン粒子からなる群から選択されることを特徴とする１．に記載のコーティングされたポリエステルフィルム。
３．  前記コーティングは該コーティングの重量を基準にして約０．００４重量％から０．３重量％の多孔性粒子を含むことを特徴とする２．に記載のコーティングされたポリエステルフィルム。
４．  前記粒径が約０．５μｍから３．０μｍであることを特徴とする３．に記載のコーティングされたポリエステルフィルム。
５．  前記孔隙体積が少なくとも０．１ｍＬ／ｇであることを特徴とする４．に記載のコーティングされたポリエステルフィルム。
６．  前記多孔性粒子は部分的に焼成されたポリシロキサン粒子であることを特徴とする４．に記載のコーティングされたポリエステルフィルム。
７．  前記多孔性粒子がアルミナ粒子であることを特徴とする４．に記載のコーティングされたポリエステルフィルム。
８．  前記コーティングが該コーティングの重量を基準にして約０．００６重量％から０．０２０重量％の多孔性粒子を含むことを特徴とする４．に記載のコーティングされたポリエステルフィルム。
９．  前記多孔性粒子が部分的に焼成されたポリシロキサン粒子であることを特徴とする８．に記載のコーティングされたポリエステルフィルム。
１０．  前記多孔性粒子がアルミナ粒子であることを特徴とする８．に記載のコーティングされたポリエステルフィルム。
１１．  前記コーティングが（１）約９０重量％から約９９重量％の少なくとも１種のスルホポリエステルと、（２）ポリアクリル酸、アクリルアミド／アクリル酸のコポリマー、およびそれらの塩からなる群から選択される約０．１０重量％から約４重量％の少なくとも１種のポリマーと、（３）約０．５重量％から７．０重量％の少なくとも１種のテトラブロックコポリマー樹脂とを含み、成分（１）、（２）および（３）の重量％は前記コーティング中に存在する成分（１）、（２）および（３）の全重量を基準にしており、そして成分（１）、（２）および（３）は全体で乾燥コーティングの重量の少なくとも約８５％を構成することを特徴とする３．に記載のコーティングされたポリエステルフィルム。
１２．  前記コーティングが該コーティングの重量を基準として約０．００６重量％から０．０２０重量％の多孔性粒子を含むことを特徴とする１１．に記載のコーティングされたポリエステルフィルム。
１３．  前記コーティングが（１）約８５重量％から約９８重量％の１種以上のスルホポリエステルと、（２）約０．５重量％から約５重量％の１種以上のテトラブロックコポリマー樹脂と、（３）約２重量％から約１２重量％の１種以上の非揮発性ポリアミンとを含み、前記スルホポリエステルまたはスルホポリエステル類、テトラブロックコポリマー樹脂またはテトラブロックコポリマー樹脂類、および非揮発性ポリアミンまたは非揮発性ポリアミン類の重量％は、前記コーティング中に存在する前記１種以上のスルホポリエステルの重量と、前記１種以上のテトラブロックコポリマー樹脂の重量と、前記１種以上の非揮発性ポリアミンの重量との合計を基準にしていることを特徴とする３．に記載のコーティングされたポリエステルフィルム。
１４．  前記コーティングが該コーティングの重量を基準にして約０．００６重量％から０．０２０重量％の多孔性粒子を含むことを特徴とする１３．に記載のコーティングされたポリエステルフィルム。
１５．  前記粒径が約０．５μｍから２．５μｍであり、前記孔隙体積が少なくとも０．１ｍＬ／ｇであり、前記コーティングが該コーティングの重量を基準にして約０．００６重量％から０．０２０重量％の多孔性粒子を含むことを特徴とする２．に記載のコーティングされたポリエステルフィルム。
１６．  延伸ポリエステルフィルムの少なくとも１つの表面上をコーティングすることによって形成された、コーティングされたポリエステルフィルムであって、コーティング組成物が有機ポリマーと、コーティングの重量を基準にして約０．００２重量％から１．５重量％の多孔性樹脂とを含み、該多孔性樹脂が少なくとも０．０３ｍＬ／ｇの孔隙体積および約０．５μｍから４．５μｍの粒径を有することを特徴とするコーティングされたポリエステルフィルム。
１７．  前記多孔性粒子がアルミナ粒子および部分的に焼成されたポリシロキサン粒子からなる群から選択されることを特徴とする１６．に記載のコーティングされたポリエステルフィルム。
１８．  前記コーティング組成物が前記コーティング組成物に存在する全固形物の重量を基準にして０．００６重量％から０．０２重量％の多孔性粒子を含み、該多孔性粒子が約０．５μｍから３．０μｍの粒径を有することを特徴とする１７．に記載のコーティングされたポリエステルフィルム。
１９．  コーティングされたポリエステルフィルムを形成するための方法であって、該方法は：ポリエステルフィルムの少なくとも１つの表面上をコーティングする工程であって、コーティング組成物が有機ポリマーと前記コーティング組成物中に存在する全固形物の重量を基準にして約０．００２重量％から１．５重量％の多孔性粒子を含み、該多孔性粒子が少なくとも０．０３ｍＬ／ｇの孔隙体積および約０．５μｍから４．５μｍの粒径を有する工程と；前記フィルムを延伸して、その大きさを約２〜約４倍に増大させる工程とを備えたことを特徴とする方法。
２０．  前記多孔性粒子がアルミナ粒子および部分的に焼成されたポリシロキサン粒子からなる群から選択され、前記コーティング組成物が該コーティング組成物中に存在する全固形物の重量を基準にして０．００６重量％から０．０２重量％の多孔性粒子を含み、該多孔性粒子が約０．５μｍから３．０μｍの粒径を有することを特徴とする方法。